(57)【要約】【課題】  少ない操作で誤りなくメールアドレスを入力できる。【解決手段】  キー押下検出部２はメールアドレス入力要求を受けつける。メールアドレス入力処理部３は、入力される氏名に基づき予め保持している電話帳データベースから電話帳を検索して前記電話帳を画面に表示し、前記電話帳から氏名の読みを取得するとともに画面上でメールの種類を指定させる。さらにメールアドレス入力処理部３は、読みをアルファベットに変換し、取得されたアルファベットと先に指定させたメールの種類に基づきメールアドレスのプロトタイプを画面上に表示し、画面上に表示された前記プロトタイプのメールアドレスの修正を受け付ける。メールアドレス登録処理部４は、完成したメールアドレスを電話帳に登録する。【選択図】      図１
2005276128.tif 000002
【特許請求の範囲】
【請求項１】
メールアドレス入力要求を受けて、宛先の読みからメールアドレスのプロトタイプを作成し、作成された前記メールアドレスのプロトタイプを画面上に表示し、修正入力を受け付けることを特徴とする携帯端末におけるメールアドレス入力方法。
【請求項２】
メールアドレス入力要求を検出すると、入力される宛先に基づき、予め保持している電話帳データベースから電話帳を検索して前記電話帳を画面に表示し、前記電話帳から宛先の読みを取得するとともに前記画面上でメールの種類を指定させ、次に前記読みをアルファベットに変換し、取得されたアルファベットと先に指定させた前記メールの種類に基づき、前記メールアドレスのプロトタイプを画面上に表示し、次に、画面上に表示された前記プロトタイプのメールアドレスの修正を受け付け、前記メールアドレスの修正が完了すると、前記電話帳に前記メールアドレスを登録することを特徴とする携帯端末におけるメールアドレス入力方法。
【請求項３】
前記読みの前記アルファベットへの変換は予め用意された変換テーブルを用いて行われることを特徴とする請求項２記載の携帯端末におけるメールアドレス入力方法。
【請求項４】
前記メールの種類は、少なくとも自宅用と会社用とを含むことを特徴とする請求項２記載の携帯端末におけるメールアドレス入力方法。
【請求項５】
メールアドレス入力要求を受けつけるキー押下検出部と、宛先の読みからメールアドレスのプロトタイプを作成し作成された前記メールアドレスのプロトタイプを画面上に表示し修正入力を受け付けるメールアドレス入力処理部とを含んで構成されることを特徴とする携帯端末。
【請求項６】
メールアドレス入力要求を受けつけるキー押下検出部と、入力手段から入力される宛先に基づき予め保持している電話帳データベースから電話帳を検索して前記電話帳を画面に表示する電話帳検索表示部と、前記電話帳から宛先の読みを取得するとともに前記画面上でメールの種類を指定させる読み取得部と、前記読みをアルファベットに変換する読み変換部と、取得されたアルファベットと先に指定させた前記メールの種類に基づき前記メールアドレスのプロトタイプを画面上に表示するプロトタイプ表示部と、画面上に表示された前記プロトタイプのメールアドレスの修正を受け付ける修正処理部と、前記メールアドレスの修正が完了すると前記電話帳に前記メールアドレスを登録するメールアドレス登録処理部とを含んで構成されることを特徴とする携帯端末。
【請求項７】
前記読みの前記アルファベットへの変換は予め用意された変換テーブルを用いて行われることを特徴とする請求項６記載の携帯端末。
【請求項８】
前記メールの種類は、少なくとも自宅用と会社用とを含むことを特徴とする請求項６記載の携帯端末。
【発明の詳細な説明】
【技術分野】
【０００１】
本発明は携帯端末におけるメールアドレス入力方法及び携帯端末に関し、特に、携帯電話機の電話帳内の宛先の読みからメールアドレスのプロトタイプを作成し、メールアドレスの入力を容易にする携帯端末におけるメールアドレス入力方法及び携帯端末に関する。
【背景技術】
【０００２】
携帯電話機では、メール送受信の使用頻度が高く、メールアドレスの電話帳への入力、登録は必須である。しかしながら、文字数が多く入力ミスや入力の手間がかかるという問題があった。
【０００３】
この問題を改善するための方法が考案されている（例えば、特許文献１参照。）。この文献による方法では、まず、メールアドレスの「＠．ｃｏ．ｊｐ」等の共通部分のパターンをいくつかアドレス保管情報として携帯端末に保持しておく。そして、メールアドレスの入力時に利用者にこのパターンの１つを選択させて、可変部分を埋めさせる仕組みである。
【０００４】
【特許文献１】特開２００２−２９７２８７号公報
【発明の開示】
【発明が解決しようとする課題】
【０００５】
しかしながら上述公報によるメールアドレス入力方法では、パターンの選択は、メールアドレスを登録する相手の種類とメールアドレスのパターンの意味を熟知したものでなければ、誤りやすいという問題があった。さらに、公報による方法では、依然として多くの文字数からなる可変部分を利用者が埋めなければならず、入力ミスや入力の手間がかかるという問題があった。
【０００６】
本発明の目的は、少ない操作で誤りなくメールアドレスを入力できる携帯端末メールアドレス入力方法及び携帯端末を提供することにある。そのために、本発明は、携帯電話の電話帳に搭載されている宛先の読みデータをもとに、自動的にメールアドレスのプロトタイプを表示し、必要箇所のみ修正すればよいようにする。
【課題を解決するための手段】
【０００７】
第１の発明は、メールアドレス入力要求を受けて、宛先の読みからメールアドレスのプロトタイプを作成し、作成された前記メールアドレスのプロトタイプを画面上に表示し、修正入力を受け付けることを特徴とする。
【０００８】
第２の発明は、メールアドレス入力要求を検出すると、入力される宛先に基づき、予め保持している電話帳データベースから電話帳を検索して前記電話帳を画面に表示し、前記電話帳から宛先の読みを取得するとともに前記画面上でメールの種類を指定させ、次に前記読みをアルファベットに変換し、取得されたアルファベットと先に指定させた前記メールの種類に基づき、前記メールアドレスのプロトタイプを画面上に表示し、次に、画面上に表示された前記プロトタイプのメールアドレスの修正を受け付け、前記メールアドレスの修正が完了すると、前記電話帳に前記メールアドレスを登録することを特徴とする。
【０００９】
第３の発明は、第２の発明における前記読みの前記アルファベットへの変換は予め用意された変換テーブルを用いて行われることを特徴とする。
【００１０】
第４の発明は、第２の発明における前記メールの種類は、少なくとも自宅用と会社用とを含むことを特徴とする。
【００１１】
第５の発明は、メールアドレス入力要求を受けつけるキー押下検出部と、宛先の読みからメールアドレスのプロトタイプを作成し作成された前記メールアドレスのプロトタイプを画面上に表示し修正入力を受け付けるメールアドレス入力処理部とを含んで構成されることを特徴とする。
【００１２】
第６の発明は、メールアドレス入力要求を受けつけるキー押下検出部と、入力手段から入力される宛先に基づき予め保持している電話帳データベースから電話帳を検索して前記電話帳を画面に表示する電話帳検索表示部と、前記電話帳から宛先の読みを取得するとともに前記画面上でメールの種類を指定させる読み取得部と、前記読みをアルファベットに変換する読み変換部と、取得されたアルファベットと先に指定させた前記メールの種類に基づき前記メールアドレスのプロトタイプを画面上に表示するプロトタイプ表示部と、画面上に表示された前記プロトタイプのメールアドレスの修正を受け付ける修正処理部と、前記メールアドレスの修正が完了すると前記電話帳に前記メールアドレスを登録するメールアドレス登録処理部とを含んで構成されることを特徴とする。
【００１３】
第７の発明は、第６の発明における前記読みの前記アルファベットへの変換は予め用意された変換テーブルを用いて行われることを特徴とする。
【００１４】
第８の発明は、第６の発明における前記メールの種類は、少なくとも自宅用と会社用とを含むことを特徴とする。
【発明の効果】
【００１５】
本発明は、携帯電話の電話帳に少ない操作で誤りなくメールアドレスを入力できる効果がある。その理由は、携帯電話の電話帳に搭載されている宛先の読みデータをもとに、メールアドレスのプロトタイプを表示し、必要箇所のみ修正すればよいようにしたからである。
【発明を実施するための最良の形態】
【００１６】
次に、本発明を実施するための最良の形態について図面を参照して詳細に説明する。
【００１７】
図１は、本発明の携帯電話機の一実施の形態を示すブロック図である。
【００１８】
図１を参照すると、本実施の形態は、操作部１と、キー押下検出部２と、メールアドレス入力処理部３と、メールアドレス登録処理部４とを含んで構成される。操作部１は、制御キーや、文字入力キーなどのキー入力手段である。キー押下検出部２は、キー操作を検出する手段である。メールアドレス入力処理部３は、キー操作がメールアドレス入力要求であった場合に、メールアドレス入力処理をサポートする手段である。メールアドレス登録処理部４は、メールアドレス入力が完了したときに、電話帳にメールアドレスを登録する手段である。尚、電話帳は、ディスクなどのハードで構成されるデータベース（電話帳データベース）に、名前などの宛先対応に電話番号、メールアドレスなどのデータが一覧表として登録された情報である。
【００１９】
図２は、図１のメールアドレス入力処理部３の一実施の形態を示すブロック図である。
【００２０】
メールアドレス入力処理部３は、電話帳検索表示部３１と、読み取得部３２と、読み変換部３３と、プロトタイプ表示部３４と、修正処理部３５とを含んで構成される。
【００２１】
電話帳検索表示部３１は、操作部１を介して入力される氏名から電話帳を検索して、携帯電話機の画面に表示する手段である。読み取得部３２は、電話帳から氏名の読みを取得する手段である。読み変換部３３は、取得された氏名の読みを変換テーブルを用いてアルファベットに変換する手段である。プロトタイプ表示部３４は、変換されたアルファベットと、ユーザの要求事項に基づきメールアドレスのプロトタイプを表示する手段である。修正処理部３５は、表示されたメールアドレスのプロトタイプに基づくユーザの修正入力を受け付ける手段である。
【００２２】
図３は、本発明の携帯電話機の一実施の形態を示す動作フローチャートである。
【００２３】
図３を用いて、本発明の携帯電話機の動作について、詳細に説明する。
【００２４】
まず、メールアドレス入力要求の制御キーが押下されると、キー押下検出部２によって検出される（ステップ１）。次に、メールアドレス入力処理部３は、電話帳検索表示部３１により、電話帳における氏名に対応するデータを検索し画面に表示する（ステップ２）。この電話帳における氏名に対応するデータは、ユーザによって操作部１を介して入力される氏名または、その一部に基づき、予め保持している図示しない電話帳データベースから検索される。次に、メールアドレス入力処理部３は、読み取得部３２により、電話帳における氏名に対応するデータから氏名の読みを取得するとともに、ユーザにメールの種類を指定させる（ステップ３）。ここで、メールの種類とは、自宅用か、会社用かの区別である。自宅用か、会社用かの選択ボックスが画面上に表示され、目的のボックスを利用者に指定させる。次に、メールアドレス入力処理部３は、読み変換部３３により、変換テーブルを用いて氏名の読みをアルファベットに変換する（ステップ４）。次に、メールアドレス入力処理部３は、プロトタイプ表示部３４により、メールアドレスのプロトタイプを画面上に表示する（ステップ５）。このメールアドレスのプロトタイプは、取得された氏名のアルファベットと、ユーザによって先に指定させたメールの種類に基づいて生成される。次に、メールアドレス入力処理部３は、修正処理部３５により、画面上に表示されたプロトタイプのメールアドレスの修正を受け付ける（ステップ６）。メールアドレスの修正が完了すると、メールアドレス登録処理部４は、電話帳データベースにおける電話帳にメールアドレスを登録する（ステップ７）。
【００２５】
図４は、本発明で想定する電話帳における氏名に対応するデータの画面例である。
【００２６】
図４において、４１は氏名、４２は氏名の読み（フリガナ）、４３は自宅電話番号、４４は会社電話番号、４５は自宅メールアドレス、４６は会社メールアドレスである。
【００２７】
利用者は、メールアドレスが自宅用なのか会社用なのかを、入力ボックスにカーソルを移動させることによって指定する。本発明は、このメールの種類の指定と、氏名の読み４２のデータをもとに自動的にアルファベット変換を行い、メールアドレス候補を自動作成する。
【００２８】
図５は、氏名の読みデータからアルファベットへ変換する手順を示す動作説明図である。
【００２９】
図５において、５１は読みをアルファベットに変換するための変換テーブル、５２は変換するための文字、５３はアルファベットに変換後の文字である。読み５２の１文字目「や」を変換する場合は、アルファベット変換テーブル５１内の「や」を検索し、該当するアルファベット「ｙａ」をメールアドレスに登録する。同様に「ま」「だ」「た」「ろ」「う」を変換し、「ｍａ」「ｄａ」「ｔａ」「ｒｏ」「ｕ」をメールアドレスに登録する。さらに、入力ボックスが自宅メールアドレスの場合は、「＠．ｎｅ．ｊｐ」を、会社メールアドレスの場合は「＠．ｃｏ．ｊｐ」を自動的に付加する。
【００３０】
図６は、自動変換後の電話帳画面である。
【００３１】
この場合「ｙａｍａｄａｔａｒｏｕ＠．ｃｏ．ｊｐ」６１が自動的に入力される。入力したいメールアドレスが「ｙａｍａｄａ＠ｏｆｆｉｃｅ．ｃｏ．ｊｐ」の場合は、「ｔａｒｏｕ」を削除し「ｏｆｆｉｃｅ」を入力するだけで、アドレス入力が完了する。
【００３２】
本発明は、携帯端末において最も有効に作用するが、一般的なパソコンにおいても適用できることはいうまでもない。
【図面の簡単な説明】
【００３３】
【図１】本発明の一実施の形態を示すシステムブロック図である。
【図２】図１のメールアドレス入力処理部の一実施の形態を示すブロック図である。
【図３】本発明の動作を示す動作フロー図である。
【図４】本発明の動作説明図である。
【図５】本発明の動作説明図である。
【図６】本発明の動作説明図である。
【符号の説明】
【００３４】
１    操作部
２    キー押下検出部
３    メールアドレス入力処理部
４    メールアドレス登録処理部
３１    電話帳検索表示部
３２    読み取得部
３３    読み変換部
３４    プロトタイプ表示部
３５    修正処理部
【図１】
2005276128.tif 000003
【図２】
2005276128.tif 000004
【図３】
2005276128.tif 000005
【図４】
2005276128.tif 000006
【図５】
2005276128.tif 000007
【図６】
2005276128.tif 000008